(57)【要約】【課題】幅木を使用しない枠組足場に簡単に取り付けることができるとともに、取り付けた後は抜けにくく安定した先行手摺枠を提供すること。【解決手段】建枠３、布枠５で構成される枠組足場に取り付けられる先行手摺枠７において、先行手摺枠は矩形枠７ａを有し、この矩形枠７ａの両端部の下側には、建枠３の脚柱３ａに固定した係止金具８に係止する係止部７ｂが設けられるとともに、矩形枠７ａの中央には、下辺が矩形枠７ａの底辺より下方に突出するＵ字状の曲げ部７ｆを有するＵ字枠７ｅが設けられ、曲げ部７ｆの両側端には、枠組足場に取り付けられた際に布枠５と係合する係合部７ｇが設けられている。【選択図】　　図１
0003099129.tif 000002
【実用新案登録請求の範囲】
【請求項１】
建枠、布枠で構成される枠組足場に取り付けられる先行手摺枠において、
前記先行手摺枠は矩形枠を有し、この矩形枠の両端部の下側には、建枠の脚柱に固定した係止金具に係止する係止部が設けられるとともに、矩形枠の中央には、下辺が矩形枠の底辺より下方に突出するＵ字状の曲げ部を有するＵ字枠が設けられ、
前記曲げ部の両側端には、枠組足場に取り付けられた際に布枠と係合する係合部が設けられていることを特徴とする枠組足場の先行手摺枠。
【請求項２】
前記係合部が段差状に形成され、布枠の下面と係合するようになっている請求項１に記載の枠組足場の先行手摺枠。
【考案の詳細な説明】
【０００１】
【考案の属する技術分野】
本考案は、建築・土木現場で組み立てられる枠組足場に取り付けられる先行手摺枠に関する。
【０００２】
【従来の技術】
建築・土木現場においては高所作業のために各種の足場が設けられる。各種足場のうち、特に組ばらしが容易な枠組足場を利用する場合が多い。図５は枠組足場の基本構成を示す斜視図である。敷板１の上にジャッキベース２を位置決めし、ジャッキベース２に二つの建枠３を並列に差し込み、ブレース４を建枠３にロックした後、鋼板の布枠５を建枠３の横梁３ｂにかける。同様にして、建枠３のロックピン６に上段の建枠３を差し込み、ブレース４を建枠３にロックした後、横梁３ｂに布枠５をかける。以上の作業を繰り返して足場を高くしていく。
【０００３】
布枠上で枠組の組み立て作業を安全に行うために、先行手摺枠を設けることが知られている。例えば、特開平７−５４４８０号公報には、建枠の脚柱の接続用ジョイントに手摺枠を取り付けることが記載されている。そして、本願出願人は、実用新案登録第３０９３４４１号公報において、対向する建枠の脚柱に結合される幅木に係止孔金具および係止溝を設け、これらに先行手摺枠を係止し固定するようにした先行手摺枠の取り付け構造を開示している。この先行手摺枠の取り付け構造によって、先行手摺枠を簡単な構造で幅木に取り付けることができるとともに、幅木から抜けにくい先行手摺枠の取り付けが可能となった。このように、本願出願人が開示した先行手摺枠の取り付け構造は、対向する建枠の脚柱に結合される幅木を利用したものである。
【０００４】
【考案が解決しようとする課題】
しかしながら、近年、コスト縮減の要求から、幅木の省略が求められる場合があり、この場合、本願出願人が開示した上記の先行手摺枠の取り付け構造では対応できない。
【０００５】
そこで、本考案が解決しようとする課題は、幅木を使用しない枠組足場に簡単に取り付けることができるとともに、取り付けた後は抜けにくく安定した先行手摺枠を提供することにある。
【０００６】
【課題を解決するための手段】
本考案は、建枠、布枠で構成される枠組足場に取り付けられる先行手摺枠において、前記先行手摺枠は矩形枠を有し、この矩形枠の両端部の下側には、建枠の脚柱に固定した係止金具に係止する係止部が設けられるとともに、矩形枠の中央には、下辺が矩形枠の底辺より下方に突出するＵ字状の曲げ部を有するＵ字枠が設けられ、前記曲げ部の両側端には、枠組足場に取り付けられた際に布枠と係合する係合部が設けられていることを特徴とする。
【０００７】
前記係合部については、段差状に形成し、布枠の下面と係合させるようにすることができる。
【０００８】
【考案の実施の形態】
図１は、本考案の先行手摺枠を枠組足場に取り付けた状態を示し、（ａ）はその正面図、（ｂ）はそのＡ−Ａ矢視図である。図１（ａ）に示すように、先行手摺枠７は、建枠３の脚柱３ａ，３ａ間に取り付けられる。この先行手摺枠７は、鋼管で形成された矩形枠７ａを備えている。この矩形枠７ａの底辺は、建枠の脚柱３ａ間の間隔とほぼ同じ長さにする。矩形枠７ａの両端部下側には、脚柱３ａに固定した係止金具８に係止する係止部７ｂが設けられ、そのわずか上方には、脚柱３ａに当接して先行手摺枠７の下側を位置決めするための押さえ部材７ｃが設けられている。また、矩形枠７ａの両端部上側には、脚柱３ａを挟持して矩形枠７ａの上側を位置決めするための挟持部材７ｄが設けられている。さらに、矩形枠７ａの中央にはＵ字枠７ｅが設けられている。
【０００９】
このＵ字枠７ｅの曲げ部７ｆの下辺は、矩形枠７ａの底辺より突出させており、前述の係止部７ｂと同じ高さ位置には段差状の係合部７ｇが設けられている。この係合部７ｇは、先行手摺枠７が建枠３に取り付けられた際、図１（ｂ）に示すように、建枠３の横梁に架け渡されている布枠５の下面と係合するようになっている。
【００１０】
図２は、本考案で使用される係止金具８を脚柱３ａに固定した状態を示す平面図である。同図に示すように、結合金具８には、建枠３の脚柱３ａが入り込む係合溝８ａが二股の係合部材８ｂに形成されている。係合部材８ｂの基端側には、脚柱３ａの両側に配置される先行手摺枠７の係止部７ｂを差し込む係止孔８ｃが２箇所に形成されている。また、係合部材８ｂは係合溝８ａに入り込んだ脚柱３ａを固定させるために移動可能な楔８ｄを備えている。
【００１１】
図３は、先行手摺枠７の下側を位置決めするための押さえ部材７ｃを示す平面図である。同図に示すように、押さえ部材７ｃは脚柱３ａの外周面に当接し、これによって先行手摺枠７の下側が位置決めされる。
【００１２】
図４は、先行手摺枠７の上側を位置決めするための挟持部材７ｄを示す平面図である。同図に示すように、挟持部材７ｄは、２つの挟持片７ｄ−１，７ｄ−２からなり、これらの挟持片７ｄ−１，７ｄ−２の基端部は、先行手摺枠７の矩形枠７ａに回動可能に取り付けられている。すなわち、挟持片７ｄ−１，７ｄ−２を回動させて図４に示すような状態にすることにより、挟持片７ｄ−１，７ｄ−２によって脚柱３ａを挟持するようになっている。これによって、先行手摺枠７の上側が位置決めされて先行手摺枠７のぐらつきが防止される。
【００１３】
次に、先行手摺枠の取り付け手順について説明する。図５により説明した従来の枠組足場と同様に、まず、敷板１の上にジャッキベース２を位置決めし、ジャッキベース２に二つの建枠３をベース２に並列に差し込み、ブレース４を建枠３にロックした後、建枠３の横梁３ｂに鋼板の布枠５をかける。
【００１４】
次いで、先に図２により説明したように、結合金具８を脚柱３ａに固定した後、下段から先行手摺枠７を持ち上げ、先行手摺枠７の係止部７ｂを結合金具８の係止孔８ｃに差し込み係止する。このとき、先行手摺枠７は、先に図１（ｂ）で説明したように、Ｕ字枠７ｅの曲げ部７ｆに設けている段差状の係合部７ｇを布枠５の下面に潜り込ませるように取り付け、係合部７ｇを布枠５の下面に係合させる。また、先行手摺枠７の下側は、先に図３により説明したように、押さえ部材７ｃが脚柱３ａに当接することにより位置決めされる。
【００１５】
その後、先に図４により説明したように、挟持部材７ｄの挟持片７ｄ−１，７ｄ−２を回動させて脚柱３ａを挟持するようにする。そして、布枠５を建枠３の横梁３ｂにかけ、ブレース４を建枠３にロックし、上段の枠組を組み立てる。以上の作業を繰り返して足場を高くしていく。
【００１６】
【考案の効果】
本考案によれば、幅木を使用しない枠組足場に簡単に取り付けることができる。そして、取り付けた後は、先行手摺枠に設けている係合部が枠組足場の布枠の下面に係合するので、抜けにくく、また、倒れにくい安定した取り付け状態を得ることができる。
【図面の簡単な説明】
【図１】本考案の先行手摺枠を枠組足場に取り付けた状態を示し、（ａ）はその正面図、（ｂ）はそのＡ−Ａ矢視図である。
【図２】本考案で使用される係止金具を脚柱に固定した状態を示す平面図である。
【図３】先行手摺枠の下側を位置決めするための押さえ部材を示す平面図である。
【図４】先行手摺枠の上側を位置決めするための挟持部材を示す平面図である。
【図５】枠組足場の基本構成を示す斜視図である。
【符号の説明】
１：敷板
２：ジャッキベース
３：建枠
３ａ：脚柱
４：ブレース
５：布枠
６：ロックピン
７：先行手摺枠
７ａ：矩形枠
７ｂ：係止部
７ｃ：押さえ部材
７ｄ：挟持部材
７ｄ−１，７ｄ−２：挟持片
７ｅ：Ｕ字枠
７ｆ：曲げ部
７ｇ：係合部
８：係止金具
８ａ：係合溝
８ｂ：係合部材
８ｃ：係止孔
８ｄ：楔
【図１】
0003099129.tif 000003
【図２】
0003099129.tif 000004
【図３】
0003099129.tif 000005
【図４】
0003099129.tif 000006
【図５】
0003099129.tif 000007